【手続補正書】
【提出日】平成18年10月16日(2006.10.16)
【手続補正１】
【補正対象書類名】明細書
【補正対象項目名】特許請求の範囲
【補正方法】変更
【補正の内容】
【特許請求の範囲】
【請求項１】  当該熱可塑性樹脂組成物１００ｐｂｗを基準にして、
（ａ）４０〜９０ｐｂｗのポリエーテルイミド樹脂、
（ｂ）８〜６０ｐｂｗの、塩基で滴定可能な官能基量が少なくとも３０マイクロ当量／ｇである官能化ポリ（アリーレンエーテル）樹脂、及び
（ｃ）０．２〜３５ｐｂｗのオレフィンとエポキシ官能化モノマーとのコポリマー
の混合物を含んでなる熱可塑性樹脂組成物。
【請求項２】  （ａ）４０〜９０ｐｂｗのポリエーテルイミド樹脂、
（ｂ）８〜６０ｐｂｗの、塩基で滴定可能な官能基量が少なくとも３０マイクロ当量／ｇである官能化ポリ（アリーレンエーテル）樹脂、及び
（ｃ）０．２〜３５ｐｂｗのオレフィンとエポキシ官能化モノマーとのコポリマー
の反応生成物を含んでなる熱可塑性樹脂組成物。
【請求項３】  前記官能化ポリ（アリーレンエーテル）樹脂が、ポリ（アリーレンエーテル）と、α，β−不飽和カルボニル化合物、α−ヒドロキシカルボニル化合物、トリメリト酸無水物アリールエステル、又はこれらの組合せとの反応によって製造されたものである、請求項１又は請求項２記載の熱可塑性樹脂組成物。
【請求項４】  前記官能化ポリ（アリーレンエーテル）樹脂が、ポリ（アリーレンエーテル）と、無水マレイン酸、マレイン酸、フマル酸、シトラコン酸無水物、シトラコン酸、イタコン酸無水物、イタコン酸、アコニット酸無水物、アコニット酸、これらのエステル及びアミン、クエン酸、リンゴ酸、トリメリト酸無水物サリチル酸フェニル、又はこれらの組合せとの反応によって製造されたものである、請求項３記載の熱可塑性樹脂組成物。
【請求項５】  組成物が６０〜７０ｐｂｗの前記ポリエーテルイミド樹脂、２６〜４０ｐｂｗの前記ポリ（アリーレンエーテル）樹脂及び１〜３ｐｂｗの前記オレフィンとエポキシ官能化モノマーとのコポリマーを含んでいる、請求項１乃至請求項４のいずれか１項記載の熱可塑性樹脂組成物。
【請求項６】  前記塩基で滴定可能な官能基量が３０〜５００マイクロ当量／ｇである、請求項１乃至請求項５のいずれか１項記載の熱可塑性樹脂組成物。
【請求項７】  前記塩基で滴定可能な官能基量が５０〜２５０マイクロ当量／ｇである、請求項１乃至請求項６のいずれか１項記載の熱可塑性樹脂組成物。
【請求項８】  前記塩基で滴定可能な官能基量が８０〜１２０マイクロ当量／ｇである、請求項１乃至請求項７のいずれか１項記載の熱可塑性樹脂組成物。
【請求項９】  前記エポキシ官能化モノマーがアクリル酸グリシジル、メタクリル酸グリシジル又はこれらの組合せである、請求項１乃至請求項８のいずれか１項記載の熱可塑性樹脂組成物。
【請求項１０】  前記オレフィンとエポキシ官能化モノマーとのコポリマーがポリ（エチレン−コ−メタクリル酸グリシジル）である、請求項１乃至請求項９のいずれか１項記載の熱可塑性樹脂組成物。
【請求項１１】  ポリエーテルイミド樹脂が、式（Ｉ）
【化１】
2002531674.tif 000001
［式中、Ｔは−Ｏ−、又は式−Ｏ−Ｚ−Ｏ−の基であり、−Ｏ−基又は−Ｏ−Ｚ−Ｏ−基の二価結合は３，３’位、３，４’位、４，３’位又は４，４’位にあり、Ｚは式（II）
【化２】
2002531674.tif 000002
｛式中、Ｘは式（III）
【化３】
2002531674.tif 000003
（式中、ｙは１〜５の整数である）のものであり、ｑは０又は１である｝のものであり、Ｒは（ａ）６〜２０個の炭素原子を有する芳香族炭化水素基及びそのハロゲン化誘導体、（ｂ）２〜２０個の炭素原子を有するアルキレン基、（ｃ）３〜２０個の炭素原子を有するシクロアルキレン基、又は（ｄ）式（IV）
【化４】
2002531674.tif 000004
｛式中、Ｑは式（Ｖ）
【化５】
2002531674.tif 000005
（式中、ｙは１〜５の整数である）のものである｝の二価基の二価有機基である］の構造単位を含んでなる、請求項１乃至請求項１０のいずれか１項記載の熱可塑性樹脂組成物。
【請求項１２】  さらに、官能化シリコーン流体、ポリ（エチレンナフタレート）、ポリアミド又はこれらの組合せからなる光沢改良剤を含んでいる、請求項１記載の熱可塑性樹脂組成物。
【請求項１３】  さらに、０．７５ｐｈｒ未満の官能化シリコーン流体を含んでいる、請求項１記載の熱可塑性樹脂組成物。
【請求項１４】  さらに、０．３０〜０．６０ｐｈｒのアミノ官能化シリコーン流体を含んでいる、請求項１３記載の熱可塑性樹脂組成物。
【請求項１５】  さらに、金属触媒を含んでいる、請求項１記載の熱可塑性樹脂組成物。
【請求項１６】  前記金属触媒が二酸化チタン、ステアリン酸ナトリウム、ステアリン酸亜鉛又はこれらの組合せである、請求項１５記載の熱可塑性樹脂組成物。
【請求項１７】  前記ステアリン酸ナトリウム、ステアリン酸亜鉛又はこれらの組合せが０．００５〜０．０１ｐｈｒの量で存在する、請求項１６記載の熱可塑性樹脂組成物。
【請求項１８】  さらにガラスを含んでおり、前記組成物がダブルゲート引張試験によって測定して５０００ｐｓｉを超えるニットライン強度を有する、請求項１記載の熱可塑性樹脂組成物。
【請求項１９】  前記ポリ（アリーレンエーテル）が２，６−ジメチルフェニレンエーテル単位、２，３，６−トリメチルフェニレンエーテル単位、２，６−ジメチルフェノールと２，３，６−トリメチルフェノールの共重合によって誘導されたコポリマー、又はこれらの組合せからなる、請求項１乃至請求項１８のいずれか１項記載の熱可塑性樹脂組成物。
【請求項２０】  前記ポリエーテルイミドが１５マイクロ当量／ｇ以下の酸で滴定可能な官能基量を有する、請求項１乃至請求項１９のいずれか１項記載の熱可塑性樹脂組成物。
【請求項２１】  前記ポリエーテルイミドが１０マイクロ当量／ｇ以下の酸で滴定可能な官能基量を有する、請求項１乃至請求項２０のいずれか１項記載の熱可塑性樹脂組成物。
【請求項２２】  請求項１乃至請求項２１のいずれか１項記載の熱可塑性樹脂組成物から形成される物品。
【請求項２３】  物品が自動車部品である、請求項２２記載の物品。
【請求項２４】  ４０〜９０ｐｂｗのポリエーテルイミド樹脂、８〜６０ｐｂｗのポリ（アリーレンエーテル）樹脂、前記ポリ（アリーレンエーテル）樹脂の塩基で滴定可能な官能基量を少なくとも３０マイクロ当量／ｇにするのに充分な量の官能化剤、及び０．２〜３５ｐｂｗのオレフィンとエポキシ官能化モノマーとのコポリマーを一緒にして熱可塑性樹脂組成物を形成することを含んでなる熱可塑性樹脂組成物の製造方法。
【請求項２５】  さらに、
（ａ）前記ポリ（アリーレンエーテル）樹脂を前記官能化剤と共に予備押出して官能化ポリ（アリーレンエーテル）樹脂を形成し、
（ｂ）前記官能化ポリ（アリーレンエーテル）樹脂を前記ポリエーテルイミド及び前記オレフィンとエポキシ官能化モノマーのコポリマーと共に押し出して組成物を形成する
ことを含んでなる、請求項２４記載の熱可塑性樹脂の製造方法。
【請求項２６】  さらに、二軸押出機を使用して前記予備押出段階と押出段階を実施することを含んでなる、請求項２５記載の熱可塑性樹脂の製造方法。
【請求項２７】  さらに、
（ａ）前記ポリ（アリーレンエーテル）樹脂を前記官能化剤と共に予備押出して官能化ポリ（アリーレンエーテル）樹脂を形成し、
（ｂ）前記ポリエーテルイミド及び前記オレフィンとエポキシ官能化モノマーのコポリマーを予備押出してコンセントレートを形成し、
（ｃ）前記官能化ポリ（アリーレンエーテル）樹脂を前記コンセントレートと共に押し出して組成物を形成する
ことを含んでなる、請求項２４記載の熱可塑性樹脂の製造方法。
【請求項２８】  前記官能化剤がα，β−不飽和カルボニル化合物、α−ヒドロキシカルボニル化合物、トリメリト酸無水物アリールエステル、又はこれらの組合せである、請求項２４乃至請求項２７のいずれか１項記載の熱可塑性樹脂の製造方法。
【請求項２９】  前記官能化剤が、無水マレイン酸、マレイン酸、フマル酸、シトラコン酸無水物、シトラコン酸、イタコン酸無水物、イタコン酸、アコニット酸無水物、アコニット酸、これらのエステル及びアミン、クエン酸、リンゴ酸、トリメリト酸無水物サリチル酸フェニル、又はこれらの組合せである、請求項２８記載の熱可塑性樹脂の製造方法。
【請求項３０】  組成物が６０〜７０ｐｂｗの前記ポリエーテルイミド樹脂、２６〜４０ｐｂｗの前記ポリ（アリーレンエーテル）樹脂及び１〜３ｐｂｗの前記オレフィンとエポキシ官能化モノマーとのコポリマーを含んでいる、請求項２４乃至請求項２９のいずれか１項記載の熱可塑性樹脂の製造方法。
【請求項３１】  前記ポリ（アリーレンエーテル）が２，６−ジメチルフェニレンエーテル単位、２，３，６−トリメチルフェニレンエーテル単位、２，６−ジメチルフェノールと２，３，６−トリメチルフェノールの共重合によって誘導されたコポリマー、又はこれらの組合せからなる、請求項２４乃至請求項３０のいずれか１項記載の熱可塑性樹脂の製造方法。
【請求項３２】  前記ポリエーテルイミドが１５マイクロ当量／ｇ以下の酸で滴定可能な官能基量を有する、請求項２４乃至請求項３１のいずれか１項記載の熱可塑性樹脂組成物の製造方法。
【請求項３３】  前記ポリエーテルイミドが１０マイクロ当量／ｇ以下の酸で滴定可能な官能基量を有する、請求項３２記載の熱可塑性樹脂組成物の製造方法。